(57)【要約】【課題】立体画像対応撮像装置において非立体映像を記録する際の動作信頼性の向上を図る。【課題を解決するための手段】光学部と、画像処理部と、撮像部と、記録再生部と、前記光学部と前記画像処理部と前記記録再生部の動作の異常を検知し異常情報を出力する手段と、前記異常情報を前記画像処理部の映像に多重する手段と、を有し、画像処理部からの映像信号の他、外部からの映像信号を取り込む入力端子を備え、１組の記録再生部は画像処理部からの映像信号を記録し、他方の記録再生部は外部からの映像信号を記録する手段を有することを特徴とする撮像装置。【選択図】図１
2012253606.tif 000002
【特許請求の範囲】
【請求項１】
光学部と、画像処理部と、撮像部と、記録再生部と、前記光学部と前記画像処理部と前記記録再生部の動作の異常を検知し異常情報を出力する手段と、前記異常情報を前記画像処理部の映像に多重する手段と、を有し、画像処理部からの映像信号の他、外部からの映像信号を取り込む入力端子を備え、１組の記録再生部は画像処理部からの映像信号を記録し、他方の記録再生部は外部からの映像信号を記録する手段を有することを特徴とする撮像装置。
【発明の詳細な説明】
【技術分野】
【０００１】
本発明は、撮像部と記録部とを有する撮像装置に関するものである。
【背景技術】
【０００２】
従来のテレビジョンカメラ装置（以下、カメラと称す）においては、レンズと撮像部と、ＩＣメモリレコーダ等の映像情報を記憶再生するための記憶再生部が設けられている。
【０００３】
立体映像の撮像用には、レンズと撮像部と記憶再生部が２組づつ設けられている。
【０００４】
光学系のみが２系統で、一方の光学系が故障したときには自動的に故障の判定を行い、立体映像撮影を中止し、正常な光学系のみの非立体映像撮影に切り替え、漏れがなく記録することも行われている（特許文献１参照）。
【先行技術文献】
【特許文献】
【０００５】
【特許文献１】特開２００１−１６６１６号公報
【発明の概要】
【発明が解決しようとする課題】
【０００６】
立体画像対応撮像装置において非立体映像を記録する際の動作信頼性の向上を図ることが本発明の目的である。
【課題を解決するための手段】
【０００７】
本発明は、上記課題を解決するため、光学部と、画像処理部と、撮像部と、記録再生部と、前記光学部と前記画像処理部と前記記録再生部の動作の異常を検知し異常情報を出力する手段と、前記異常情報を前記画像処理部の映像に多重する手段と、を有し、画像処理部からの映像信号の他、外部からの映像信号を取り込む入力端子を備え、１組の記録再生部は画像処理部からの映像信号を記録し、他方の記録再生部は外部からの映像信号を記録する手段を有することを特徴とする撮像装置である。
【発明の効果】
【０００８】
本発明によれば、立体画像対応撮像装置において非立体映像を記録する際の動作信頼性の向上を図ることができる。
【図面の簡単な説明】
【０００９】
【図１】本発明の一実施例の模式図（３Ｄ/１０８０ｉ/３Ｇｂｙｔｅ）
【図２】本発明の一実施例の模式図（２Ｄ/１０８０ｐ/３Ｇｂｙｔｅ、２Ｄ/１０８０ｉ/１．５Ｇｂｙｔｅ）
【図３】従来例の模式図（３Ｄ/１０８０ｉ/３Ｇｂｙｔｅ）
【図４】本発明の一実施例の機器冗長化手順の模式図
【発明を実施するための形態】
【実施例１】
【００１０】
本発明による撮像装置の一実施例を、本発明の一実施例の模式図（３Ｄ/１０８０ｉ/３Ｇｂｙｔｅ）の図１とを用いて説明する。
【００１１】
図１は光学部、画像処理部さらに記録再生部において、冗長性を持たせた立体画像対応の撮像記録再生装置である。
また、光学部、画像処理部、合成部の異常（項目の詳細は示していないが、予め規定した項目について動作状態を示す値（電圧、電流等）が適正範囲を逸脱した場合）を検知し、アラーム合成器６−１で本線画像と多重し、録再器７−１で記録する。同様にアラーム合成器６−２で本線画像と多重し、録再器７−２で記録する。
【００１２】
判定部８では記録された光学部、画像処理部、合成部の異常または録再器７−１、録再器７−２の異常情報から正常な系を判定し、切替器１０に切替指示を出す。
切替器１０では遅延器９−１、遅延器９−２の遅延画像データを判定部８の指示で切替る。
【００１３】
第一の効果として、３Ｄ（１０８０ｉ）、２Ｄ（１０８０Ｐ）、２Ｄ（１０８０ｉ）に対応した撮像記録再生装置において、３Ｄ（１０８０ｉ）フォーマットで収録するため具備された構成要素を適切な構成に構築することで２Ｄ（１０８０Ｐ）、２Ｄ（１０８０ｉ）本装置が冗長化するので、録画装置としての動作信頼性が向上する。
本装置が冗長化する実例について説明する。処理ブロック毎に故障判定し、系統を構成する。各々の要素で正常、故障の状態があり、その組み合わせは６４通り（２（画像処理部１）×２（画像処理部２）×２（合成／切替器１）×２（合成／切替器２）×２（録再器１）×２（録再器２））ある。６４通りのうち、図４の３通り（１８）、（２８）、（３８）以外は機能を継続できる。
【００１４】
第二の効果として、本撮像記録再生装置において、録再器７−１、録再器７−２に記録した直後、読み出す後追い再生を行うことが可能である。すなわち、録再器７−１、録再器７−２の後追い再生中、片方の系に障害が発生しても切替器１０が正常な系に途切れなく切替することが可能（詳細は示していないが、切替器１０に途切れなく左右視点移動（補間）する機能を含む）で、画像出力１１の出力は従来の１系統のカメラに比べ安定する。
【００１５】
第三の効果として、本撮像記録再生装置の録再器７−１、録再器７−２の前段に切替器２６−１、切替器２６−２を設けることにより、録画装置としての動作信頼性が特に必要とされていない場合は一方の録再器は立体画像対応カメラ部１２からの映像を収録し、他方の録再器は外部入力２８−１、外部入力２８−２から入力される映像を同時記録することも可能である。
内部、外部信号の切替はスイッチ２７−１、スイッチ２７−２で行う。
【実施例２】
【００１６】
本発明の一実施例の模式図（２Ｄ/１０８０ｐ/３Ｇｂｙｔｅ、２Ｄ/１０８０ｉ/１．５Ｇｂｙｔｅ）の図２を用い説明する。
一方のレンズ１−１、光学部２−１で撮像された画像は信号処理部３−１で適宜画像処理され、分配器４−１で分配され、合成器５−１に入力される。アラーム合成器６−１では光学部２−１、信号処理部３−１、合成器５−１のアラーム情報を画像信号に多重する。アラーム合成器６−１の出力は録再器７−１に記録される。
【００１７】
他方のレンズ１−２、光学部２−２で撮像された画像は信号処理部３−２で適宜画像処理され、分配器４−２で分配され、合成器５−２に入力される。アラーム合成器６−２では光学部２−２、信号処理部３−２、合成器５−２のアラーム情報を画像信号に多重する。アラーム合成器６−２の出力は録再器７−２に記録される。
【００１８】
録再器７−１、録再器７−２の記録画像を再生する際、判定部８では記録された光学部、画像処理部、合成部の異常または録再器７−１、録再器７−２の異常情報から正常な系を判定し、切替器１０に切替指示を出す。
【００１９】
切替器１０では遅延器９−１、遅延器９−２の遅延画像データを判定部８の指示で切替る。
【符号の説明】
【００２０】
１−１，１−２，，：レンズ、
２−１，２−２，３２−１，３２−２：光学部、
３−１，３−２，３３−１，３３−２：画像処理部、
４−１，４−２：分配器、
５−１，５−２，３５：合成器、
６−１，６−２：アラーム合成器、
７−１，７−２，３７−１，３７−２：録再器、
８：判定器、９−１，９−２：遅延器、１０：切替器、
１１，１１−１，１１−２：画像出力、１２：立体画像対応カメラ部、
１３  
：立体画像対応記録再生部、
２１，２６−１，２６−２：分配器、
２７−１，２７−２：スイッチ、
２８−１，２８−２：外部入力、
４２：立体画像対応カメラ部、
４３：立体画像対応記録再生部、
【図１】
2012253606.tif 000003
【図２】
2012253606.tif 000004
【図３】
2012253606.tif 000005
【図４】
2012253606.tif 000006